(57)【要約】【課題】開梱時において、緩衝材から連結材を容易に分離することができる梱包構造を提供する。【解決手段】弾性を有する板材から成り、側壁６ｂの端縁の一部が折り返されて形成された折返し爪６ｃを有する連結材６と、連結材６の側壁６ｂ、折返し爪６ｃが差し込まれるスリット１１と、スリット１１に連通し、開梱者の指を挿入可能な指挿入凹部１２を有する緩衝材３を備える。緩衝材３に形成された爪収容部１４に落ち込んだ折返し爪６ｃの先端が緩衝材３の段部１５に係合して緩衝材３と連結材６が結合される。指挿入凹部１２から挿入した指で折返し爪６ｃを側壁６ｂの方向に押圧することにより、折返し爪６ｃの先端と段部１５との係合が解かれる。【選択図】図６
2012144284.tif 000002
【特許請求の範囲】
【請求項１】
被梱包物と当接し、該被梱包物を支持する複数の緩衝材と、前記複数の緩衝材を連結する連結材を備えた梱包構造において、
前記連結材は、弾性を有する板材から成り、本体部と、該本体部の端縁の一部が折り返されて形成された折返し爪を有し、
前記緩衝材は、前記連結材の本体部の端縁及び折返し爪が差し込まれるスリットと、該スリットに連通し、開梱者の指を挿入可能な指挿入凹部を有することを特徴とする梱包構造。
【請求項２】
前記緩衝材は、前記連結材の折返し爪が弾性によって復元する方向に退避された爪収容部と、該爪収容部に収容された前記折返し部の先端と係合する段部をさらに有することを特徴とする請求項１に記載の梱包構造。
【請求項３】
前記連結材の長手方向の先端には、係合爪が形成され、
前記連結材の長手方向の先端に結合される前記緩衝材には、前記スリットに連通して、前記係合爪に対応する係合凹部が形成されていることを特徴とする請求項１又は請求項２に記載の梱包構造。
【請求項４】
前記緩衝材のスリット及び指挿入凹部は、被梱包物が当接される側とは反対側の面に形成されていることを特徴とする請求項１乃至請求項３のいずれか一項に記載の梱包構造。
【請求項５】
横倒しに寝かされて前記緩衝材及び連結材が装着された被梱包物が載置される第１ケースと、該第１ケースの上方から装着される第２ケースをさらに備えたことを特徴とする請求項１乃至請求項４のいずれか一項に記載の梱包構造。
【請求項６】
端縁の一部が折り返されて形成された折返し爪を有する連結材によって、相互に連結されて被梱包物に装着される緩衝材において、
前記被梱包物の一部が嵌挿される嵌挿孔と、前記端縁及び折返し爪が差し込まれるスリットと、該スリットに連通し開梱者の指を挿入可能な指挿入凹部を有することを特徴とする緩衝材。
【請求項７】
前記連結材の折返し爪が弾性によって復元する方向に退避された爪収容部と、該爪収容部に落ち込んだ前記折返し部の先端と係合する段部をさらに有することを特徴とする請求項６に記載の緩衝材。
【請求項８】
前記嵌挿孔と、スリットと、指挿入凹部とは、それぞれ深さ方向が平行に形成されていることを特徴とする請求項７に記載の緩衝材。
【発明の詳細な説明】
【技術分野】
【０００１】
本発明は、液晶テレビジョン受像機等の薄型電子機器の梱包に適した梱包構造及びそれに用いられる緩衝材に関する。
【背景技術】
【０００２】
従来から、電子機器の梱包には、軽量で衝撃吸収性に優れた発泡樹脂性の緩衝材が使用されている。近年においては、発泡樹脂の使用量を削減するため、種々の提案がなされている。例えば、特許文献１には、複数個の緩衝材を部分的に配置し、それらをダンボール板から成る連結材によって連結する梱包構造が開示されている。
【０００３】
このような梱包構造を電子機器の上部に適用する場合、商品の輸送時などにおいて中央に配置された緩衝材が左右方向（連結材の長手方向）に移動することを防止する必要がある。そこで、上記特許文献１に示された梱包構造において、緩衝材と連結材との接合には、舌片上のタブと凹部からなる接合構造が適用されている。すなわち、連結材から切り起こされたタブが緩衝材に設けられている凹部に嵌合される構造である。この構造にあっても、緩衝材の移動を確実に防止するために、タブと凹部とを強固に嵌合する必要がある。
【先行技術文献】
【特許文献】
【０００４】
【特許文献１】特開２００６−２７３３５７号公報
【発明の概要】
【発明が解決しようとする課題】
【０００５】
上述したように、緩衝材と連結材とは、通常、異なる材料が用いられているため、開梱後は分別して処理する必要がある。ところが、上記特許文献１に示された梱包構造においては、タブと凹部との嵌合を強固にする必要上、緩衝材から連結材を分離する作業に支障を来たすことがあり、作業者に過度の負担を強いていた。このような作業性の悪化は、被梱包物である電子機器の大型化が進むほど顕著となる。
【０００６】
本発明は、上記課題を解決するためになされたものであり、開梱時において、緩衝材から連結材を容易に分離することができる梱包構造を提供することを目的とする。
【課題を解決するための手段】
【０００７】
上記目的を達成するために本発明は、被梱包物と当接し、該被梱包物を支持する複数の緩衝材と、前記複数の緩衝材を連結する連結材を備えた梱包構造において、前記連結材は、弾性を有する板材から成り、本体部と、該本体部の端縁の一部が折り返されて形成された折返し爪を有し、前記緩衝材は、前記連結材の本体部の端縁及び折返し爪が差し込まれるスリットと、該スリットに連通し、開梱者の指を挿入可能な指挿入凹部を有することを特徴とする。
【０００８】
この梱包構造において、前記緩衝材は、前記連結材の折返し爪が弾性によって復元する方向に退避された爪収容部と、該爪収容部に収容された前記折返し部の先端と係合する段部をさらに有することが好ましい。
【０００９】
この梱包構造において、前記連結材の長手方向の先端には、係合爪が形成され、
前記連結材の長手方向の先端に結合される前記緩衝材には、前記スリットに連通して、前記係合爪に対応する係合凹部が形成されていることが好ましい。
【００１０】
この梱包構造において、前記緩衝材のスリット及び指挿入凹部は、被梱包物が当接される側とは反対側の面に形成されていることが好ましい。
【００１１】
この梱包構造において、横倒しに寝かされて前記緩衝材及び連結材が装着された被梱包物が載置される第１ケースと、該第１ケースの上方から装着される第２ケースをさらに備えることが好ましい。
【００１２】
また、本発明は、端縁の一部が折り返されて形成された折返し爪を有する連結材によって、相互に連結されて被梱包物に装着される緩衝材において、前記被梱包物の一部が嵌挿される嵌挿孔と、前記端縁及び折返し爪が差し込まれるスリットと、該スリットに連通し開梱者の指を挿入可能な指挿入凹部を有することを特徴とする。
【００１３】
この緩衝材において、前記連結材の折返し爪が弾性によって復元する方向に退避された爪収容部と、該爪収容部に落ち込んだ前記折返し部の先端と係合する段部をさらに有することが好ましい。
【００１４】
この緩衝材において、前記嵌挿孔と、スリットと、指挿入凹部とは、それぞれ深さ方向が平行に形成されていることが好ましい。
【発明の効果】
【００１５】
請求項１の発明によれば、開梱者が指挿入凹部に指を挿入して折返し爪を連結材の本体部の側に押圧することにより、折返し爪とスリットとの間に隙間を生じさせることができる。これにより、緩衝材から連結材を容易に分離することができる。
【００１６】
また、梱包時に連結材の折返し爪が弾性によって復元すると、その先端が緩衝材に形成された爪収容部に落ち込んで段部と係合するので、緩衝材と連結材を強固に結合させて、連結材から緩衝材が脱落することを防止することができる。なお、開梱時には、指挿入凹部に指を挿入して折返し爪を連結材の本体部の側に押圧することにより、折返し爪の先端と段部との係合を解くことができるので、上記と同様に緩衝材から連結材を容易に分離することができる。
【００１７】
また、連結材の長手方向の先端に形成された係合爪と、緩衝材のスリットに連通して形成された係合凹部の係合によって、折返し爪の先端と段部との係合と相まって、連結材に対する緩衝材の回転を防止することができる。緩衝材と連結材とをより強固に結合させることができる。
【００１８】
また、緩衝材のスリット及び指挿入凹部は、被梱包物が当接される側とは反対側の面に形成されているので、開梱時に被梱包物とは反対の側から連結材を取外すことができる。これにより、緩衝材から連結材をより一層容易に分離できるようになる。
【００１９】
また、被梱包物を寝かした姿勢で梱包することができるので、特に薄型の被梱包材の梱包において、安定して作業を進めることができる。
【００２０】
また、嵌挿孔と、スリットと、指挿入凹部とは、それぞれ深さ方向が平行に形成されているので、緩衝材を金型によって成形する場合、その金型構造を簡素にすることができ、ひいては緩衝材の製造コストの低減を図ることができる。
【図面の簡単な説明】
【００２１】
【図１】本発明の一実施形態による梱包構造を示す斜視図。
【図２】同構造の緩衝材と連結材の構成を示す斜視図。
【図３】（ａ）は同分解斜視図、（ｂ）はその折返し爪を拡大して示した斜視図、（ｃ）は折返し爪の断面図。
【図４】同平面図。
【図５】同拡大平面図。
【図６】（ａ）は図５におけるＡ−Ａ線断面図、（ｂ）は図５におけるＢ−Ｂ線断面図。
【図７】（ａ）は緩衝材に連結材を装着する要領を示すＡ−Ａ線断面図、（ｂ）は同Ｂ−Ｂ線断面図。
【図８】図７に続き、緩衝材に連結材を装着する要領を示す断面図。
【図９】図８に続き、緩衝材に連結材を装着する要領を示す断面図。
【図１０】連結材から緩衝材を分離する要領を時系列で示すＡ−Ａ線断面図。
【図１１】緩衝材の構成を示す拡大平面図。
【図１２】（ａ）は図１１におけるＣ−Ｃ線断面図、（ｂ）は図５におけるＤ−Ｄ線断面図。
【図１３】緩衝材に連結材を装着する要領を時系列で示す斜視図。
【図１４】図１３に続き、緩衝材に連結材を装着する要領を時系列で示す斜視図。
【発明を実施するための形態】
【００２２】
本発明の一実施形態による梱包構造について図面を参照して説明する。図１は液晶テレビジョン受像機の梱包構造を示す。梱包構造は、第１ケース１と、第２ケース２と、緩衝材３，４，５と、連結材６等によって構成されている。液晶テレビジョン受像機７は、画面を下向きに、横倒しに寝かされた姿勢でスタンド８と共に梱包される。
【００２３】
第１ケース１は、緩衝材３，４，５及び連結材６が装着された液晶テレビジョン受像機７が載置されて、液晶テレビジョン受像機７の画面等を保護する。第２ケース２は、第１ケース１の上方から装着されて液晶テレビジョン受像機７の背面等を保護する。緩衝材３，４，５によって、第１ケース１及び第２ケース２の内部で液晶テレビジョン受像機７が支持される。緩衝材３は、液晶テレビジョン受像機７の上端縁の中央部に装着・当接される。緩衝材４，５は、液晶テレビジョン受像機７の上端縁の両端及び下端縁の両端、すなわち液晶テレビジョン受像機７の４隅に装着・当接される。連結材６は、緩衝材３，４，５を相互に連結する。図１においては、下端側の緩衝材３は省略されているが、必要に応じて追加してもよい。
【００２４】
図２乃至図４は、緩衝材３，４，５及び連結材６を示す。連結材６は、弾性を有する板材、例えば紙製ダンボール、プラスチックダンボール等を断面がコの字状になるように折り曲げることによって形成され、天壁６ａと２つの側壁６ｂからなる本体部と、折返し爪６ｃと係合爪６ｄを有する。折返し爪６ｃは、緩衝材３，４，５のそれぞれに２箇所ずつ対応するように６個設けられ、側壁６ｂの端縁の一部が鋭角に折り返されて形成されている。係合爪６ｄは、側壁６ｂの先端部の下端縁が連結材６の長手方向に延伸されて形成されている。
【００２５】
緩衝材３，４，５は、発泡ポリスチレン等の発泡材によって形成されている。緩衝材３，４，５は、スリット１１と、指挿入凹部１２とを有する。スリット１１は、連結材６の側壁６ｂに対応して形成され、側壁６ｂ及び折返し爪６ｃが差し込まれる。従って、スリット１１の幅は、側壁６ｂの厚みと折返し爪６ｃの厚みを加えたものと略等しく設定されている。指挿入凹部１２は、スリット１１に連通し、開梱者の指を挿入可能に形成されている。スリット１１及び指挿入凹部１２は、液晶テレビジョン受像機７が当接される嵌挿孔１３が形成されている側とは反対側の面に形成されている。
【００２６】
図５は、緩衝材３及び連結材６を拡大して示す。また、図６において（ａ）は、図５におけるＡ−Ａ線断面、（ｂ）は、図５におけるＢ−Ｂ線断面を示す。緩衝材３は、嵌挿孔１３、爪収容部１４及び段部１５をさらに有する。嵌挿孔１３は、図１に示すように、液晶テレビジョン受像機７の上端縁の中央部が嵌挿される。スリット１１と、指挿入凹部１２と、嵌挿孔１３とは、それぞれ深さ方向が平行に形成されている。図５及び図６に示すように、爪収容部１４は、その中央部分において指挿入凹部１２と連通されている。また、図６に示すように、爪収容部１４は、スリット１１と連通し、スリット１１から連結材６の折返し爪６ｃが弾性によって復元する方向に退避されて形成されている。段部１５は、爪収容部１４に落ち込んで収容された折返し爪６ｃの先端と係合するように、指挿入凹部１２の（連結材６の長手方向の）両端において爪収容部１４の上方に突出して形成されている。爪収容部１４に落ち込んだ折返し爪６ｃの先端が段部１５と係合することにより、緩衝材３と連結材６が強固に結合される。
【００２７】
図７乃至図９は、緩衝材３に連結材６を装着する要領を示している。図７乃至図９において、（ａ）は、図５におけるＡ−Ａ線断面、（ｂ）は、図５におけるＢ−Ｂ線断面を示す。図７及び図８に示すように、連結材６は、その側壁６ｂ及び折返し爪６ｃが緩衝材３のスリット１１に挿入されることにより、緩衝材３に装着される。図８に示した状態では、折返し爪６ｃがスリット１１の側壁によって側壁６ｂの方向に押圧されながら、スリット１１を下方に進入する。さらに、図９に示した状態までスリット１１が進入すると、爪収容部１４に折返し爪６ｃの先端が落ち込んで収容され、折返し爪６ｃの先端と段部１５が係合する。このとき、仮に連結材６を緩衝材３から引き抜こうとしても、折返し爪６ｃの先端と段部１５が係合しているため、連結材６が緩衝材３から容易に引き抜かれることはない。
【００２８】
このように緩衝材３に装着された連結材６の折返し爪６ｃの中央部は、図５に示すように、指挿入凹部１２から臨むことができる。そして、本実施形態の梱包構造においては、開梱時に作業者（開梱者）が、指挿入凹部１２から指などを挿入して、折返し爪６ｃを側壁６ｂの方向に押圧することにより、折返し爪６ｃと段部１５の係合を解いて容易に緩衝材３から連結材６を分離することができる。
【００２９】
図１０は、開梱時において、連結材６から緩衝材３を分離する要領を示している。この図１０において、（ａ）乃至（ｄ）は、図５におけるＡ−Ａ線断面を示す。開梱者は、（ａ）に示すように指Ｆなどを緩衝材３の指挿入凹部１２に挿入し、（ｂ）に示すように連結材６の折返し爪６ｃを側壁６ｂの方向に押圧する。これにより、折返し爪６ｃの先端と段部１５との係合が解かれる。さらに開梱者は、（ｃ）に示すように連結材６を上方に引き上げると、側壁６ｂ及び折返し爪６ｃがスリット１１の上方に移動し、（ｄ）に示すように連結材６から緩衝材３を分離することができる。このとき、折返し爪６ｃを側壁６ｂの方向に押圧し続けることにより、折返し爪６ｃとスリット１１との間に隙間が生じて、連結材６から緩衝材３を容易に分離することができる。
【００３０】
図１１及び図１２は、緩衝材４を示す。図１２において、（ａ）は、図１１におけるＣ−Ｃ線断面、（ｂ）は、図１１におけるＤ−Ｄ線断面を示す。緩衝材４は、スリット１１、指挿入凹部１２、嵌挿孔１３、爪収容部１４及び段部１５の他、係合凹部１６をさらに有する。スリット１１、指挿入凹部１２、嵌挿孔１３、爪収容部１４及び段部１５の構成は、緩衝材３に形成されているものと同等である。係合凹部１６は、スリット１１に連通して係合爪６ｄに対応する形状に形成されている。なお、緩衝材５についても緩衝材４と同等の構成であるため、以下は緩衝材４についてのみ説明する。
【００３１】
図１３及び図１４は、緩衝材４に連結材６を装着する要領を示している。図１３において、（ａ）、（ｂ）に示すように、まず、連結材６の係合爪６ｄを緩衝材４のスリット１１に斜め方向に挿入し、連結材６を緩衝材４に押し込む。これにより、係合爪６ｄの先端が係合凹部１６と係合することとなるが、この段階では、折返し爪６ｃは爪収容部１４に落ち込んでいない。そして、図１４において、（ａ）に示すように係合凹部１６に係合している係合爪６ｄの先端を中心に連結材６を回動させると、（ｂ）に示すように折返し爪６ｃは爪収容部１４に落ち込んで収容され、折返し爪６ｃの先端と段部１５が係合する。連結材６から緩衝材４を分離する際には、図１３、図１４に示した作業を逆に実行すればよい。すなわち、指挿入凹部１２に指を挿入して折返し爪６ｃを連結材６の側壁６ｂの側に押圧することにより、折返し爪６ｃの先端と段部１５との係合を解いた後、図１４（ａ）の逆方向に連結材６を回動させ、図１３（ｂ）の逆方向に連結材６を引き抜けばよい。
【００３２】
以上のように、本実施形態の梱包構造によれば、開梱者が指挿入凹部１２に指を挿入して折返し爪６ｃを連結材６の側壁６ｂの側に押圧することにより、折返し爪６ｃとスリット１１との間に隙間を生じさせることができる。これにより、緩衝材３から連結材６を容易に分離することができる。
【００３３】
また、梱包時に連結材６の折返し爪６ｃが弾性によって復元すると、その先端が緩衝材３に形成された爪収容部１４に落ち込んで段部１５と係合するので、緩衝材３と連結材６を強固に結合させて、連結材６から緩衝材３が脱落することを防止することができる。なお、開梱時には、指挿入凹部１２に指を挿入して折返し爪６ｃを連結材６の側壁６ｂの側に押圧することにより、折返し爪６ｃの先端と段部１５との係合を解くことができるので、上記と同様に緩衝材３から連結材６を容易に分離することができる。
【００３４】
また、連結材６の長手方向の先端に形成された係合爪６ｄと、緩衝材４，５のスリット１１に連通して形成された係合凹部１６の係合によって、折返し爪６ｃの先端と段部１５との係合と相まって、連結材６に対する緩衝材４，５の回転を防止することができる。これにより、緩衝材３対する上記効果に加えて、連結材６と緩衝材４，５とをより強固に結合させることができる。
【００３５】
また、緩衝材３，４，５のスリット１１及び指挿入凹部１２は、被梱包物たる液晶テレビジョン受像機７が当接される側とは反対側の面に形成されているので、開梱時に液晶テレビジョン受像機７とは反対の側から連結材６を取外すことができる。これにより、緩衝材３から連結材６をより一層容易に分離できるようになる。
【００３６】
また、スリット１１と、指挿入凹部１２と、嵌挿孔１３とは、それぞれ深さ方向が平行に形成されているので、緩衝材３，４，５を金型によって成形する場合、その金型構造を簡素にすることができ、ひいては緩衝材３，４，５の製造コストの低減を図ることができる。
【００３７】
また、液晶テレビジョン受像機７などの薄型で重量の大きな電子機器を被梱包物として適用する場合、被梱包物を寝かした姿勢で梱包することができるので、安定して作業を進めることができる。
【００３８】
なお、本発明は上記実施形態の構成に限られることなく、少なくとも弾性を有する板材から成り、側壁６ｂの端縁の一部が折り返されて形成された折返し爪６ｃを有する連結材６と、連結材６の側壁６ｂ、折返し爪６ｃが差し込まれるスリット１１と、スリット１１に連通し、開梱者の指を挿入可能な指挿入凹部１２を有する緩衝材３を備えて構成されていればよい。また、本発明は種々の変形が可能であり、例えば、緩衝材３，４，５及び連結材６による構成は、特許文献１に示されるような薄型の被梱包物を起立姿勢で梱包する梱包構造にも広く適用することができる。
【符号の説明】
【００３９】
１    第１ケース
２    第２ケース
３，４，５    緩衝材
６    連結材
６ｃ    折返し爪
６ｄ    係合爪
７    液晶テレビジョン受像機（被梱包物）
１１    スリット
１２    指挿入凹部
１３    嵌挿孔
１４    爪収容部
１５    段部
１６    係合凹部
【図１】
2012144284.tif 000003
【図２】
2012144284.tif 000004
【図３】
2012144284.tif 000005
【図４】
2012144284.tif 000006
【図５】
2012144284.tif 000007
【図６】
2012144284.tif 000008
【図７】
2012144284.tif 000009
【図８】
2012144284.tif 000010
【図９】
2012144284.tif 000011
【図１０】
2012144284.tif 000012
【図１１】
2012144284.tif 000013
【図１２】
2012144284.tif 000014
【図１３】
2012144284.tif 000015
【図１４】
2012144284.tif 000016